(57)【特許請求の範囲】
【請求項１】
眼科撮影ないし眼科測定時に得られる眼科データをその属性データに関連付けて記憶する記憶部と、
前記記憶された眼科データをプリントアウトする印刷部とを備え、
前記属性データは被検者を識別する番号と、被検眼の左右の種別とを含み、
前記被検者を識別する番号と、被検眼の左右の種別の属性データに対して印刷時の優先順を指定するとともに、被検者の左右の種別に対しては、最初に印刷するのは右眼あるいは左眼の眼科データであるかを指定し、
眼科データを優先順の高い属性データ順に並び替えるとともに、被検者を識別する番号順に、最初であると指定された右眼あるいは左眼の眼科データを先にして眼科データを順次印刷することを特徴とする眼科装置。
【請求項２】
前記属性データは、さらに撮影ないし測定の種別を含むことを特徴とする請求項１に記載の眼科装置。
【請求項３】
横長の用紙に眼科データを印刷することを特徴とする請求項１又は２に記載の眼科装置。
【発明の詳細な説明】
【０００１】
【発明の属する技術分野】
本発明は、眼科装置、さらに詳細には、眼科撮影ないし眼科測定時に得られる眼科データをその属性データに関連付けて記憶する記憶部と、記憶された眼科データをプリントアウトする印刷部とを備えた眼科装置に関する。
【０００２】
【従来の技術】
従来、眼底カメラあるいは視野計などの眼科装置で眼科撮影ないし眼科測定を行なう場合、撮影された画像ないし測定データなどの眼科データは、被検者の識別情報、例えばＩＤ番号を付してデータ記憶部に記憶され、必要に応じてプリンタなどにプリントアウトされている。眼科撮影ないし眼科測定は、使用する眼科機械の特性、被検者や被検眼の状態により必ずしも予め決められた順番に行なわれず、例えば眼底撮影などにおいては、同時に両眼の撮影を行なうことができないために、最初数人の被検者の左眼に対して撮影を行い、続いて右眼を行い、またある被検者ではその左眼だけの撮影を行なうなど、所定の順に撮影ないし測定が行なわれるものではない。
【０００３】
【発明が解決しようとする課題】
このように、眼科撮影ないし眼科測定は、必ずしも予め決められた順番に行なわれるわけではないので、記憶部に記憶さている画像データないし測定データをそのままの順で印刷してしまうと、整理が困難になるとともに、比較したいデータ、同一に保存しておきたいデータが離れて印刷されてしまい、見づらくなるだけでなく、場合によっては診断に支障をきたすという問題があった。また、このような問題を回避するために、印刷する順番を印刷のときに指定していたので、作業が複雑になるという問題があった。
【０００４】
従って、本発明の課題は、このような問題点を解決するためになされたもので、眼科撮影ないし眼科測定が順不同であっても撮影ないし測定データなどの眼科データを所定の順に並び替えて印刷することが可能な眼科装置を提供することをその課題とする。
【０００５】
【課題を解決するための手段】
本発明は、上記課題を解決するために、眼科撮影ないし眼科測定時に得られる眼科データをその属性データに関連付けて記憶する記憶部と、前記記憶された眼科データをプリントアウトする印刷部とを備え、前記属性データは被検者を識別する番号と、被検眼の左右の種別とを含み、前記被検者を識別する番号と、被検眼の左右の種別の属性データに対して印刷時の優先順を指定するとともに、被検者の左右の種別に対しては、最初に印刷するのは右眼あるいは左眼の眼科データであるかを指定し、眼科データを優先順の高い属性データ順に並び替えるとともに、被検者を識別する番号順に、最初であると指定された右眼あるいは左眼の眼科データを先にして眼科データを順次印刷する構成を採用している。
【０００６】
このような構成では、眼科撮影ないし眼科測定の順番に無関係に、所定の順に眼科データを印刷することができるので、データを整理して印刷することができるとともに、比較したいデータないし同一に保存しておきたいデータを揃えて印刷することができる。
【０００７】
【発明の実施の形態】
以下、図面に示す実施の形態に基づいて本発明を詳細に説明する。
【０００８】
図１において、符号１０で示すものは、眼底カメラで、この眼底カメラ１０は被検者の眼底を撮影する。被検眼の眼底画像はＣＣＤカメラ１０ａを介して撮像されファイリング装置１１に記憶される。その場合、被検者の識別番号（ＩＤ番号）、被検眼が左眼（Ｌ）か、右眼（Ｒ）かの種別、その他撮影時の種々の属性データが眼底画像データに関連付けされて記憶される。
【０００９】
また、視野計１２で測定された視野データも同様にファイリング装置１１に記憶され、同様に被検者の識別番号（ＩＤ番号）、被検眼が左眼（Ｌ）か、右眼（Ｒ）かの種別、その他測定時の種々の属性データと関連付けされて記憶される。
【００１０】
ファイリング装置１１に記憶されている眼底の画像データないし視野測定データは、キーボード１６などの入力装置を備えたコンピュータ１３により読み出され、モニタ１４に表示させたり、あるいはプリンタ１５などの印刷装置にプリントアウトすることができる。
【００１１】
このような構成において、ファイリング装置１１に格納されている画像データないし測定データはそれに関連付けして記憶されている属性データを利用して予め定められている順番でプリンタ１５により印刷される。図２（Ａ）、（Ｂ）は、ＩＤ番号「１」〜「６」の被検者の左眼（Ｌ）と右眼（Ｒ）に対して眼底カメラ１０で眼底を撮影し、また視野計１２で視野の測定を行なったときの属性データをそれぞれ撮影ないし測定順に示している。「Ｋ」は眼底撮影を、また「Ａ」は視野測定を示すものである。眼底撮影データないし視野測定データは、図示されていないが、これらの属性データに対応付けされてファイリング装置１１に記憶される。
【００１２】
眼底撮影は、一方の眼に対して撮影を行なったときフラッシュ撮影であるため残像が残ってしばらくは他の眼に対して撮影ができないこと、またあご台の移動が面倒であるなどの理由により、また視野測定は時間がかかり被検者が疲労するので、図示したように各被検眼の一方の眼にたいして撮影ないし測定が行なわれ、しばらく時間を置いて他の眼に対して撮影ないし測定が行なわれ、その間に他の被検者の眼に対して撮影ないし測定が行なわれている。
【００１３】
従って、図２（Ａ）、（Ｂ）に図示した順番にデータを印刷すると、データが被検者に対してばらばらに印刷されてしまうので、整理が困難になるとともに、比較したいデータ、同一に保存しておきたいデータが離れて印刷されてしまい、見づらくなる。そこで、本発明では、コンピュータ１３のモニタ１４の画面で印刷ソートを指定する。
【００１４】
図２（Ｃ）は、この印刷ソートの優先順を指定するモニタ画面の例を示すもので、優先順として第１にＩＤ（被検者の識別番号）が指定され、その場合昇順に指定されている。また第２の優先順として測定種別が指定され、眼底撮影（Ｋ）が第１に、また視野測定（Ａ）がその次に指定されている。また第３優先順として左眼（Ｌ）か右眼（Ｒ）かの種別が指定され、右眼が最初であることが指定されている。
【００１５】
なお優先順位は検者があらかじめ任意に設定することが可能である。
【００１６】
図２（Ｃ）に示したような印刷順が指定されると、コンピュータ１３は、この指定に従って属性データを検索し、続いてそれに対応して記憶されている画像ないし測定データをプリンタ１５に送り、図２（Ｄ）に示したようにプリントアウトする。すなわち、被検者のＩＤ番号が昇順に第１優先に指定されたので、「１」、「２」、．．．．．のＩＤ番号順にデータが印刷される。その場合、測定種別が第２優先順位に、また右眼が第３優先順位に指定されているので、最初に右眼と左眼の眼底画像データが印刷され、続いて右眼と左眼の視野測定データがその順に印刷される。
【００１７】
このように、被検者別に印刷することができるので、被検者のカルテに保存したりあるいは被検者に手渡すときに、これらの作業が容易になる。また被検眼の眼底画像データと視野測定データが揃えて印刷されるので、診断が容易になるなどの効果が得られる。
【００１８】
図３は、ダブルプリントによる印刷例を示すものである。ダブルプリントとは、同種測定（Ｋ、Ａ）、同一ＩＤ番号で、左眼（Ｌ）、右眼（Ｒ）の揃っている場合にのみ、右眼（Ｒ）から左眼（Ｌ）の順番で印刷するものであり、キーボード１６にこのようなファンクションキーを設けるか、あるいはモニタで表示させてこの機能を指定する。図３（Ａ）は、測定順にファイリング装置に格納された属性データを示すもので、ダブルプリントが指定されると、視野測定（Ａ）でＩＤ番号「１」〜「３」の被検者のように、両眼のデータが存在している場合は、図３（Ｂ）で２０で示すように、視野データをＩＤ番号順に並べ替えて右眼（Ｒ）から左眼（Ｌ）の順番で印刷が行なわれる。一方、ＩＤ番号「４」〜「７」の被検者の場合は両眼のデータが存在しないので、２１で示すように、測定順で印刷が行なわれる。
【００１９】
図４は、印刷順の他の実施形態を示すもので、測定の順に無関係に属性データに基づき所定のフォーマットで印刷する例を示したものである。この実施形態では、ＩＤ番号が「Ｎ」の被検者データが、視野データ、眼底画像データの順に左眼のデータを左に、また右眼のデータを右にして横長の用紙に印刷される。その場合同じ属性のデータのものが２つ以上あるときは、最新のデータが印刷されるようになっている。
【００２０】
なお、いずれの実施形態でも、印刷ソートの順、ないしダブルプリントの機能を記憶するようにしてそれを保存するようにし、事後の眼科データの印刷のときに、この保存した印刷順を用いるようにすることができることはもちろんである。
【００２１】
【発明の効果】
以上説明したように、本発明では、眼科撮影ないし眼科測定の順番に無関係に、所定の順に眼科データを印刷することができる。従って、眼科データを整理して印刷することができるのとともに、比較したい眼科データないし同一に保存しておきたい眼科データを揃えて印刷することができ、眼科診断を効果的に支援することができる。
【図面の簡単な説明】
【図１】本発明の眼科装置の概略構成を示した構成図である。
【図２】属性データを利用して画像データないし測定データを所定の順に印刷する実施形態を示した説明図である。
【図３】属性データを利用して画像データないし測定データを所定の順に印刷する他の実施形態を示した説明図である。
【図４】属性データを利用して画像データないし測定データを所定の順に印刷する他の実施形態を示した説明図である。
【符号の説明】
１０  眼底カメラ
１１  ファイリング装置
１２  視野計
１３  コンピュータ
１４  モニタ
１５  プリンタ
１６  キーボード
【図１】
0004468538.tif 000002
【図２】
0004468538.tif 000003
【図３】
0004468538.tif 000004
【図４】
0004468538.tif 000005